(57)【特許請求の範囲】
【請求項１】
多チャンネル信号を再生する複数のフロント用及びリア用スピーカ筐体と、
前記複数のリア用スピーカ筐体で再生するリア用の多チャンネル信号を赤外線として該複数のリア用スピーカ筐体に対し放射する複数の赤外線発光手段と、
前記複数のリア用スピーカ筐体に配設され、前記複数の赤外線発光手段よりの赤外線を受光する複数の受光手段と、
前記赤外線発光手段を内蔵し、前記複数のフロント用スピーカ筐体上の２箇所以上に該赤外線発光手段から放射される赤外線の赤外線放射角度を変化できるように可動可能に枢着した筐体構造の複数の赤外線放射角度可変手段と、
を有するスピーカ装置であって、
前記複数のフロント用及びリア用スピーカ装置の夫々のスピーカ筐体からの放音時の音響的再生特性及び夫々の該スピーカ筐体の向きをリスナに対して最適化する様にした時に、前記複数の赤外線発光手段から放射される前記赤外線の受信範囲を少なくとも２チャンネルの第１及び第２の前記リア用スピーカ筐体が入る角度範囲に前記複数の赤外線放射角度可変手段から放射する赤外線の放射角度を可変することで、前記複数のリア用スピーカ筐体に対して複数の赤外線発光手段よりの赤外線を受信可能にしたことを特徴とするスピーカ装置。
【請求項２】
前記フロント用の第１の左スピーカ筐体上の前記赤外線発光手段から放射される前記赤外線の受信範囲は、第１及び第２のリア用左右スピーカ筐体が入るようにすると共に、
前記フロント用の第２の右スピーカ筐体上の前記赤外線発光手段から放射される前記赤外線の受信範囲も、第１及び第２のリア用左右スピーカ筐体が入る範囲に前記複数の放射角度可変手段によって赤外線の放射角度を調整するようにした、
ことを特徴とする請求項１記載のスピーカ装置。
【請求項３】
前記フロント用の前記第１及び第２の左右スピーカ筐体の天板に対し、夫々水平又は垂直方向に前記赤外線発光手段から放射する赤外線の放射角度を可動可能とする赤外線放射角度可変手段を配設したことを特徴とする請求項２記載のスピーカ装置。
【請求項４】
多チャンネル信号を再生する複数のスピーカ筐体のうち、複数のリア用のスピーカ筐体で再生する前記多チャンネル信号を赤外線として放射する赤外線発光手段を内蔵した筐体構造の赤外線放射角度可変手段を、複数のフロント用スピーカ筐体上に可動可能に枢着し、該赤外線放射角度可変手段内の該赤外線発光手段から放射される赤外線の赤外線放射角度を調整するようにしたスピーカ装置の再生方法であって、
前記複数のフロント用及びリア用スピーカ装置の夫々のスピーカ筐体からの放音時の音響的再生特性及び夫々の該スピーカ筐体の向きをリスナに対して最適化するようにした時に、前記複数の赤外線発光手段から放射される前記赤外線の受信範囲を少なくとも２チャンネルの第１及び第２の前記リア用スピーカ筐体が入る角度範囲に前記複数の赤外線放射角度可変手段から放射する赤外線の放射角度を可変することで、前記複数のリア用スピーカ筐体に対して複数の赤外線発光手段よりの赤外線を受信可能にしたことを特徴とするスピーカ装置の再生方法。
【発明の詳細な説明】
【０００１】
【発明の属する技術分野】
本発明は多チャンネル用のスピーカ装置及びスピーカ装置の再生方法に係わり、例えば、フロント用のスピーカボックス（以下スピーカ筐体と記す）が２チャンネル、リア用のスピーカ筐体が２チャンネルのホームシアター等に使用して好適なスピーカ装置及びスピーカ装置の再生方法に関する。
【０００２】
【従来の技術】
従来、４チャンネル以上のスピーカ筐体を使用してホームシアターを実現するスピーカ装置（システム）において、フロント用のスピーカ筐体からリア用のスピーカ筐体へワイヤレスとして音声信号を赤外線でフロント用のスピーカ筐体からリア用のスピーカ筐体に伝送するようにしたスピーカ装置が提案されている（特許文献１）。
【０００３】
【特許文献１】
特開２００１−２７５１９４号公報
【０００４】
【発明が解決しようとする課題】
多チャンネル立体再生装置等で例えば、フロント用の左右スピーカ筐体が２チャンネル、リア用の左右スピーカ筐体が２チャンネルから構成されたスピーカ装置のホームシアターで、リア用の左右スピーカ筐体の２チャンネルに共に赤外線の受光手段を設けケーブルを不要としたときに、特許文献１に示す如く音声信号を伝送する赤外線を発光する赤外線発光手段を１個所のみに持つ構成においては、その赤外線発光手段の直前を遮られたとき、このリア用の２チャンネルの左右スピーカ筐体の受光手段の受信状態が悪化し、良好な音声を放音できない不都合があった。
【０００５】
そこで、この赤外線発光手段を２個所に設け、この２個所から同じ信号の赤外線を同時に放射し、このリア用の２チャンネルの左右スピーカ筐体の受光手段も、この２個所の両方の赤外線を受光できるようにしたときには、この受信状態の悪化を大幅に改善することができる。
【０００６】
ところで、フロント用の左右スピーカ筐体は通常２チャンネル以上あり、一般に比較的見通しの良い位置に設置されることが多いので、新たに２チャンネル分の赤外線発光手段を左右スピーカ筐体以外の別筐体に設置することなく、フロント用の２チャンネルの左右スピーカ筐体の夫々に、これらの赤外線発光手段を設置することが好都合である。
【０００７】
然し、フロント用の左右スピーカ筐体の音声信号の放音時の指向特性は図５Ａに示すような指向特性曲線ａを持つと共に赤外線発光手段よりの赤外線の放射時の指向特性は図５Ｂに示すような指向特性曲線ｂを持っている。
【０００８】
この為、図６に示す如く、２チャンネルのフロント用の左右スピーカ筐体１ＦＬ及び１ＦＲを音響的に最適な再生となる如く部屋に設置したときには、フロント用の左スピーカ筐体１ＦＬの赤外線発光手段よりの赤外線の受信範囲が破線ｂＬに示すようになり、フロント用の右スピーカ筐体１ＦＲの赤外線発光手段よりの赤外線の受信範囲が破線ｂＲに示すようになる。このため、リア用の左右スピーカ筐体１ＲＬ及び１ＲＲの再生時の放音方向は最適な向きとはならず、これら両方のリア用の左右スピーカ筐体１ＲＬ及び１ＲＲに赤外線発光手段より赤外線を供給することができない課題があった。
【０００９】
さらに、図７に示す如くフロント用の２チャンネルのスピーカ筐体１ＦＬ及び１ＦＲの赤外線発光手段より放射される赤外線の両方がリア用の２チャンネルのスピーカ筐体１ＲＬ及び１ＲＲの受光手段の受信範囲ｂＬ，ｂＲとするときにはフロント用のスピーカ筐体１ＦＬ及び１ＦＲの向きを、多元立体再生時に音響的に最適な向きとできず音響的に最適な再生ができないという課題もあつた。
【００１０】
本発明は、斯かる点に鑑み複数の多チャンネルスピーカ筐体より成るスピーカ装置及びスピーカ装置の再生方法において、スピーカ筐体からの放音時の音響的再生特性を最適化することができるようにした時の赤外線の放射方向を可変可能なスピーカ装置及びスピーカ装置の再生方法を得ることを目的とする。
【００１１】
【課題を解決するための手段】
本発明は、多チャンネル信号を再生する複数のフロント用及びリア用スピーカ筐体と、複数のリア用スピーカ筐体で再生するリア用の多チャンネル信号を赤外線として、この複数のリア用スピーカ筐体に対し放射する複数の赤外線発光手段と、複数のリア用スピーカ筐体に配設され、複数の赤外線発光手段よりの赤外線を受光する複数の受光手段と、赤外線発光手段を内蔵し、複数のフロント用スピーカ筐体上の２箇所以上にこの赤外線発光手段から放射される赤外線の赤外線放射角度を変化できるように可動可能に枢着した筐体構造の複数の赤外線放射角度可変手段と、を有するスピーカ装置である。
このスピーカ装置は、複数のフロント用及びリア用スピーカ装置の夫々のスピーカ筐体からの放音時の音響的再生特性及び夫々のスピーカ筐体の向きをリスナに対して最適化するようにした時に、複数の赤外線発光手段から放射される赤外線の受信範囲を少なくとも２チャンネルの第１及び第２のリア用スピーカ筐体が入る角度範囲に複数の赤外線放射角度可変手段から放射する赤外線の放射角度を可変することで、複数のリア用スピーカ筐体に対して複数の赤外線発光手段よりの赤外線を受信可能にしたものである。
【００１２】
斯かる、本発明によれば、フロント用のスピーカ筐体の赤外線発光手段からの赤外線の放射角度を可変できるようにしたのでフロント用及びリア用のスピーカ筐体の向きを音響的に最適な再生方向としたときにも、この赤外線の放射角度を可変することにより赤外線の放射方向を最適なものとすることができるスピーカ装置が得られる。
【００１３】
また、本発明は多チャンネル信号を再生する複数のスピーカ筐体のうち複数のリア用のスピーカ筐体で再生する多チャンネル信号を赤外線として放射する赤外線発光手段を内蔵した筐体構造の赤外線放射角度可変手段を複数のフロント用スピーカ筐体上に可動可能に枢着し、この赤外線放射角度可変手段内の赤外線発光手段から放射される赤外線の赤外線放射角度を調整するようにしたスピーカ装置の再生方法であって、複数のフロント用及びリア用スピーカ装置の夫々のスピーカ筐体からの放音時の音響的再生特性及び夫々のスピーカ筐体の向きをリスナに対して最適化する様にした時に、複数の赤外線発光手段から放射される赤外線の受信範囲を少なくとも２チャンネルの第１及び第２のリア用スピーカ筐体が入る角度範囲に複数の赤外線放射角度可変手段から放射する赤外線の放射角度を可変することで、複数のリア用スピーカ筐体に対して複数の赤外線発光手段よりの赤外線を受信可能にしたものである。
【００１４】
斯かる、本発明によれば、フロント用及びリア用の２チャンネルのスピーカ筐体を音響的に最適な再生となるように部屋に設置した時にも、フロント用の２チャンネルのスピーカ筐体に設けた赤外線発光手段よりの赤外線の放射角度を可変できるので、このフロント用の２チャンネルのスピーカ筐体の赤外線発光手段から出射した両方の赤外線受信範囲をリア用２チャンネルのスピーカ筐体の両方に位置させることができるスピーカ装置の再生方法が得られる。
【００１５】
【発明の実施の形態】
以下、図面を参照して本発明スピーカ装置及びスピーカ装置の再生方法の実施の形態の例につき説明する。
【００１６】
本例によるスピーカ装置及びスピーカ装置の再生方法は図１に示す如く、フロント用の２チャンネルの左スピーカ筐体１ＦＬ及び右スピーカ筐体１ＦＲと、リア用の２チャンネルの左スピーカ筐体１ＲＬ及び右スピーカ筐体１ＲＲとの４チャンネルのスピーカ装置で構成する。本例においては、このフロント用の左スピーカ筐体１ＦＬ及び右スピーカ筐体１ＦＲに夫々アンプ装置よりの左フロント音声信号ＦＬ及び右フロント音声信号ＦＲを供給する如くする。
【００１７】
本例においては、このフロント用の２チャンネルのスピーカ筐体１ＦＬ及び１ＦＲの夫々のハウジング２の天板上に赤外線発光ダイオード等より成る赤外線発光手段３Ｌ及び３Ｒを設置する。この赤外線発光手段３Ｌ，３Ｒは図２Ａ，Ｂ，Ｃに示すように、このスピーカ筐体１ＦＬ，１ＦＲのハウジング２上で、水平に角度が調整できるように且つ、赤外線の放射角度が調整できるように設置する。
【００１８】
例えば、この赤外線発光ダイオード等より成る赤外線発光手段３Ｌ，３Ｒを図２に示すように赤外線発光用筐体４内に配したときには、この赤外線発光用筐体４の中心部をスピーカ筐体１ＦＬ，１ＦＲのハウジング２上に回動自在に設置する。
【００１９】
この赤外線発光手段３Ｌ及び３Ｒに図１及び図４Ａに示す多チャンネル信号を供給する。即ち、図１及び図４Ａにおいて、５ＲＬはリア用の左スピーカ筐体１ＲＬに供給する左リア音声信号入力端子を示し、この左リア音声信号入力端子５ＲＬに供給される左リア音声信号ＲＬを音声信号処理回路６に供給すると共に右リア音声信号入力端子５ＲＲに供給される右リア音声信号ＲＲを音声信号処理回路６に供給する。
【００２０】
この音声信号処理回路６にて、この左リア音声信号ＲＬ及び右リア音声信号ＲＲを混合し、この混合したリア音声信号は変調回路７で変調され、この同一の変調信号を赤外線発光手段３Ｌ及び３Ｒに供給し、この２つの赤外線発光手段３Ｌ及び３Ｒより同一の赤外線を放射する。
【００２１】
本例においては、リア用の２チャンネルの左スピーカ筐体１ＲＬ及び右スピーカ筐体１ＲＲを夫々ワイヤレスとし、これらスピーカ筐体１ＲＬ及び１ＲＲのハウジング２上に受光ダイオード等より成る受光手段８Ｌ及び８Ｒを設置する。
【００２２】
この受光手段８Ｌ，８Ｒとリア用スピーカ筐体１ＲＬ，１ＲＲとの関係を図４Ｂのブロック図に示すように構成する。即ち赤外線受光手段８Ｌ，８Ｒで受光した赤外線の信号は音声信号処理回路９を介してスピーカ装置１ＲＬ，１ＲＲに供給する。
【００２３】
この場合、夫々の音声信号処理回路９にて左リア音声信号ＲＬ及び右リア音声信号ＲＲを判別し、夫々の信号をリア用の左スピーカ筐体１ＲＬ及びリア用の右スピーカ筐体１ＲＲに供給する。
【００２４】
本例は上述の如く構成されているので、まず図３に示す如く、フロント用の２チャンネルのスピーカ筐体１ＦＬ及び１ＦＲとリア用の２チャンネルのスピーカ筐体１ＲＬ及び１ＲＲとを音響的に最適な再生となる向き及び位置に部屋に設置する。次にフロント用の２チャンネルのスピーカ筐体１ＦＬ及び１ＦＲのハウジング２上に設置した赤外線発光手段３Ｌ及び３Ｒの赤外線の放射方向を調整し、フロント用の左スピーカ筐体１ＦＬのハウジング２上の赤外線発光手段３Ｌよりの赤外線放射の受信範囲ｂＬにリア用の２チャンネルのスピーカ筐体１ＲＬ及び１ＲＲが入るようにすると共にフロント用の右スピーカ筐体１ＦＲのハウジング２上の赤外線発光手段３Ｒよりの赤外線放射の受信範囲ｂＲにリア用の２チャンネルのスピーカ筐体１ＲＬ及び１ＲＲが入るようにする。
【００２５】
斯かる本例によればフロント用の２チャンネルのスピーカ筐体１ＦＬ及び１ＦＲを音響的に最適な再生となるように部屋に設置したときにも、これらフロント用の２チャンネルのスピーカ筐体１ＦＬ及び１ＦＲに設けた赤外線発光手段よりの赤外線の放射角度を可変できるので、このフロント用の２チャンネルのスピーカ筐体１ＦＬ及び１ＦＲの赤外線発光手段３Ｌ及び３Ｒよりの赤外線の両方の受信範囲内にリア用の２チャンネルのスピーカ筐体１ＲＬ及び１ＲＲを位置することができ、リア用の２チャンネルのスピーカ筐体１ＲＬ及び１ＲＲより良好に音声を放音することができる。
【００２６】
尚上述例においては赤外線発光手段３Ｌ，３Ｒよりの赤外線放射角度を水平方向に可変できる如く述べたが、水平方向ばかりでなく垂直方向等その他の方向に可変できるようにしても良い。
【００２７】
また赤外線発光手段３Ｌ，３Ｒに複数の発光素子を有し、この複数の発光素子が異なる方向に放射している場合にも本発明を適用することができる。
【００２８】
また、赤外線発光手段３Ｌ，３Ｒの可動部が、２箇所以上に分割され、そのそれぞれが赤外線放射角度を可変できるようにしてもよい。
【００２９】
また、本発明は上述例に限ることなく本発明の要旨を逸脱することなく、その他種々の構成が採り得ることは勿論である。
【００３０】
【発明の効果】
本発明によればフロント用及びリア用の夫々２チャンネルのスピーカ筐体を音響的に最適な再生となる如く部屋に設置したときにも、フロント用の２チャンネルのスピーカ筐体のハウジングに設けた赤外線発光手段よりの赤外線の放射角度を可変させ、これらフロント用の２チャンネルのスピーカ筐体の赤外線発光手段よりの赤外線の両方の放射に対して受信範囲内にリア用の２チャンネルのスピーカ筐体を位置するように設定することで、フロント用及びリア用の２チャンネルのスピーカ筐体からなる４チャンネルのスピーカ装置及びスピーカ装置の再生方法によって良好な音響信号を放音することができる。
【図面の簡単な説明】
【図１】本発明スピーカ装置及びスピーカ装置の再生方法の実施の形態の例を示す構成図である。
【図２】本発明によるスピーカ装置及びスピーカ装置の再生方法の例を示す斜視図である。
【図３】本発明の説明に供する線図である。
【図４】本発明の説明に供するブロック図である。
【図５】本発明の説明に供する線図である。
【図６】本発明と従来例の差の説明に供する線図である。
【図７】本発明の従来例の差の説明に供する線図である。
【符号の説明】
１ＦＬ，１ＦＲ‥‥フロント用のスピーカ筐体、１ＲＬ，１ＲＲ‥‥リア用のスピーカ筐体、２‥‥ハウジング、３Ｌ，３Ｒ‥‥赤外線発光手段、５ＲＬ‥‥左リア音声信号入力端子、５ＲＲ‥‥右リア音声信号入力端子、６，９‥‥音声信号処理回路、７‥‥変調回路、８Ｌ，８Ｒ‥‥受光手段
【図１】
0004228763.tif 000002
【図２】
0004228763.tif 000003
【図３】
0004228763.tif 000004
【図４】
0004228763.tif 000005
【図５】
0004228763.tif 000006
【図６】
0004228763.tif 000007
【図７】
0004228763.tif 000008